(57)【要約】【課題】粘着テープ（１１）の粘着面を外側に向けて巻きなおし、それを回転さす事でカーペト等のごみ取り具として使用し、簡単な操作で粘着面を取り替えられるホルダーを提供する。また回転を止める事でフローリング等のごみ取りも可能とした。【解決手段】本体部材（１）は上面と側面とで形成され、上面にはグリップ（１０）を備えたアーム（９）が形成されており、側面には回転筒取り付けフック（３）を備えた回転筒支持筒（２）を形成し、それに端部側に回転筒支持棒（１３）を外面にテープ固定爪（１４）を形成した回転筒（１２）を嵌合する。本体部材（１）の側面から回転筒支持筒（２）の上部にかけて、回転筒止め穴（６）を設けている。本体部材（１）の上面には、テープ接着面（７）及びテープ外し窪み（８）を形成している。【選択図】図１
2004243000.tif 000002
【特許請求の範囲】
【請求項１】
本体部材（１）は上面と側面とで形成され、上面にはアーム（９）を備え、側面には回転筒支持筒（２）を備え、該回転筒支持筒（２）に回転筒支持棒（１３）を設けた回転筒（１２）を嵌合した粘着テープのごみ取り用ホルダー。
【請求項２】
本体部材（１）の側面から回転筒支持筒（２）にかけて、回転筒止め穴（６）を設けた請求項１記載の粘着テープのごみ取り用ホルダー。
【請求項３】
アーム（９）と回転筒支持筒（２）を連結する本体部材（１）の上面中央には、先端にグリップ（１０）を備えたアーム（９）を形成し、上面左右にはテープ接着面（７）及びテープ外し窪み（８）を形成し、回転筒支持筒（２）には回転筒取り付けフック（３）を備えた請求項１記載の粘着テープのごみ取り用ホルダー。
【請求項４】
回転筒（１２）外面には、テープ固定爪（１４）を形成した請求項１記載の粘着テープのごみ取り用ホルダー。
【発明の詳細な説明】
【０００１】
【発明の属する技術分野】
この発明は、粘着テープのごみ取り用ホルダーに関するものである。
【０００２】
【従来の技術】
粘着面を外側に向けて巻き重ねられた、ごみ取り専用テープを使用していた。
【０００３】
使用しない時は、保護ケースに収納していた。
【０００４】
市販の粘着テープを使用した掃除具は、自分の力で粘着面を外側に向けて巻き直す必要があった。（特開平５−１９３８１１）（特開平５−１７８５２３）（実開平７−１６７５９）
【０００５】
使用中は、粘着面が常に回転する掃除具であった。
【０００６】
【発明が解決しょうとする課題】
使い捨てとなるごみ取り専用テープは、掃除専用品の為に価格は高く、すぐに手に入りにくく、使用しない時も常に粘着面が外側に向いているので、回りに置いてある物に引っ付いてしまう事があるので保護ケースに収納していた。
また市販の粘着テープを使用する掃除具の場合、粘着面を外側に向けて巻き直す事は粘着テープを剥離する力と、粘着テープを剥離する外周分の長さとの調整が必要となる為に困難であった。
そして使用中に粘着面は常に回転してカーペット等のごみを取っているので、フローリングやシート上では粘着面が引っ付く為に使用できなかった。
【０００７】
【課題を解決するための手段】
本体部材（１）は上面と側面とで形成され、上面の中央にはアーム（９）が備えられており、その先端にはグリップ（１０）が形成されている。側面内側には、回転筒支持筒（２）を形成し、その端部側には回転筒取り付けフック（３）を備えている。また本体部材（１）の側面から回転筒支持筒（２）上部にかけて回転筒止め穴（６）が設けられている。
本体部材（１）の上面には、テープ接着面（７）及び、その中央にテープ外し窪み（８）を対辺に形成されている。
回転筒（１２）は、回転筒支持筒（２）の外側に嵌合し回転可能なもので、一方の断面には回転筒支持棒（１３）を備え、外面にはテープ固定爪（１４）が形成されている。
【０００８】
【発明の実施の形態】
図１及び図２が示すように、本体部材（１）は上面と側面とで形成され、上面は粘着テープ（１１）の粘着面を外側に向けて巻き直し、粘着テープ（１１）をテープ接着面（７）から外し粘着面どうしを張り合わせ易いように、粘着テープ（１１）とテープ接着面（７）との距離を空ける為に平面状に形成されている。
【０００９】
本体部材（１）の上面外側中央には掃除時には本ホルダーを支持し、また粘着テープ（１１）の粘着面を外側に向けて巻き直し易くする為のアーム（９）が備えられており、これは手で持ち易くする為に筒状となっている。またその先端には粘着テープ（１１）の粘着面を外側に向けて巻き直す時に発生するアーム（９）の軸回転を容易に行う為の、握りやすいおおきさで球状になったグリップ（１０）が形成されている。
【００１０】
本体部材（１）の側面内側には、回転筒（１２）が外側に嵌合する為の回転筒支持筒（２）を形成し、その端部側には２本の切り込み（４）を形成する事により振れる事が可能なピン（５）が備えられ、その先端には回転筒（１２）を嵌合後に外れなくする為の回転筒取り付けフック（３）を形成している。
【００１１】
図２及び図４が示すように、本体部材（１）の側面から回転筒支持筒（２）上部にかけて片手でアーム（９）を支持しながら指先が入る位置に、指先が入る大きさで、回転筒（１２）の内面を接触できる回転筒止め穴（６）が設けられている。
【００１２】
本体部材（１）の上面には、粘着テープ（１１）の粘着面を外側に向けて巻きなおす時に、粘着テープ（１１）の端を一時接着する為のテープ接着面（７）及び、その中央に指先の幅で粘着テープの離脱を容易にする為のテープ外し窪み（８）を形成しており、これらは粘着テープ（１１）の内面に回転筒（１２）を差し込む時に粘着テープ（１１）の巻き方向を変えることで、左右どちらの手でも巻き直す事ができるように対辺に形成されている。
【００１３】
回転筒（１２）は、回転筒支持筒（２）の外側に、軽く嵌合及び回転できるおおきさとし、一方の端部側には粘着テープ（１１）の粘着面を外側に向けて巻きなおす時に粘着テープ（１１）の回転を指先で支持して止める為の回転筒支持棒（１３）を備えており、これは回転させた時に回転筒取り付けフック（３）と接触しない位置にある。外面には粘着テープ（１１）と回転筒（１２）との間で粘着テープ（１１）の芯を咬み、粘着テープ（１１）の空回転を防止する為のテープ固定爪（１４）を形成している。また、このテープ固定爪（１４）は粘着テープ（１１）に挿入し易いように挿入口側は爪を丸めている。
【００１４】
本発明を使用する時は、図１及び図２が示すように粘着テープ（１１）の内面に回転筒（１２）を、回転筒支持棒（１３）が外側に向くように差し込む。この時粘着テープ（１１）の芯は紙製の厚紙となっているのでテープ固定爪（１４）を食い込ませる事ができ、粘着テープ（１１）と回転筒（１２）は固定される。なを、テープ固定爪（１４）の挿入口側は爪を丸めているので挿入し易い。
これを、本体部材（１）の回転筒支持筒（２）の外側に嵌合する。この時回転筒取り付けフック（３）には２本の切り込み（４）を入れたピン（５）を形成しているので、回転筒取り付けフック（３）は嵌合時には開き、嵌合後には閉じ、粘着テープ（１１）を固定した回転筒（１２）が空回りする状態で外れなくなり粘着テープ（１１）のセットは完了する。
【００１５】
図３が示すように掃除前には、粘着テープ（１１）の粘着面を外側に向けて巻き直す為に、粘着テープ（１１）の端をテープ接着面（７）に付ける。そして一方の手で回転筒支持棒（１３）を支え、もう一方の手でグリップ（１０）を握り粘着テープ（１１）の粘着面が外側に向く方向にグルグル回す。すると粘着テープ（１１）の外周は粘着面で覆われ一周巻かれたところでグルグル回すのを止めて、回転筒止め穴（６）に指先を入れて回転筒（１２）の内面を押さえて回転筒（１２）の動きを止めた状態で、テープ接着面（７）に付けた粘着テープ（１１）の端を外す。
この時テープ外し窪み（８）は粘着テープ（１１）の幅の中央に位置し、また粘着面と接触していないので、そこに指先を入れて粘着テープ（１１）の端を折るようにすると外し易くなる。そしてそのままの勢いで、粘着面で覆われた粘着テープ（１１）の外周の端に付着すると接着面が奇麗に一周巻かれて張り合わさった状態となる。
なを、本体部材（１）の上面は平面状になっている為に粘着テープ（１１）とテープ接着面（７）との距離が空いている。これにより粘着面がちがう場所に引っ付いてしまう事を防止できる。
【００１６】
図５が示すように掃除時には、アーム（９）部分を持ち、ごみのあるところで、粘着面をコロコロ回転するように移動させれば、ごみは粘着面に付着する。
【００１７】
図４が示すようにフローリングやシートの上を掃除する時に、粘着面がコロコロ回転すると粘着面が付着してしまうが、アーム（９）部分を持ちながら本体部材（１）の側面から回転筒支持筒（２）上部にかけて指先が入る位置に、指先が入る大きさの回転筒止め穴（６）が形成されており、そこに指先を入れ指先で回転筒（１２）の内面を押さえる事により回転筒（１２）の回転を止める事が出来る。
その状態で本ホルダーをフローリングやシートの上で軽くスライドさすと、接着面が広がらずフローリングやシートに粘着面が付着する事なくごみを取る事ができる。
【００１８】
掃除をやめる時は、ごみの付着した粘着面を外す為に、最初に粘着テープ（１１）の粘着面を外側に向けて巻き直す時に粘着面どうしを貼り合わせた位置を上にして、回転筒止め穴（６）に指先を入れて回転筒（１２）の内面を押さえて回転筒（１２）の回転を止めた状態にする。そして接着面をカーペットやフローリングに押し付けた状態で本ホルダーを側面と逆方向にスライドさすと粘着面を外側に向けて巻き直した部分は、粘着テープ（１１）から外れ付け根のところで切り取る事ができる。
この時、外した粘着テープは粘着面同士が張り合わされる状態となる為、ごみが付着した粘着面に手を触れる事無く粘着テープを切り取る事ができるので手を汚すことはない。
【００１９】
また本ホルダーの使用を終了する時は、粘着面が外側を向いていないので、回りに置いてある物に引っ付いてしまう事がないので専用ケースに入れる必要はない。
【００２０】
応用例
その他の応用例として、アーム（９）を本体部材（１）の側面の外側上部に側面と直角に形成する事により、アーム（９）を釣のリールを巻く如く回転さす事が可能となり、簡単に粘着テープ（１１）の粘着面を外側に向けて巻き直せる。この時アーム（９）を二重構造にして、アーム（９）の外筒が空回りするようにしておけば軽い力で巻き直す事ができる。
【００２１】
その他の応用例として回転筒支持棒（１３）に握り部分をつけて保持しやすくすると、粘着面を外側に向けて巻き直す時に粘着力の強い粘着テープ（１１）の場合でも回転筒（１２）を支持し易い。
【００２２】
その他の応用例として回転筒（１２）及び回転筒支持筒（２）長さを伸ばし、本体部材（１）の上面のテープ接着面（７）とテープ外し窪み（８）を増やす事により、粘着テープ（１１）の取り付ける数を増やす事ができる。これにより一度に広い面積を掃除する事ができる。
【００２３】
その他の応用例として本体部材（１）の上面の裏側をザラザラ状や、凹凸状にするとの粘着テープ（１１）の粘着面を外側に向けて巻き直す時に粘着面が本体部材（１）の上面の裏側に付着し難い。
【００２４】
【発明の効果】
本発明を利用することにより、安価な粘着テープを簡単な操作で粘着面を外側に向けて巻き直し、それを回転させてごみを付着させる事でカーペット・バスマット・玄関マット・車のフロアーマット・また衣類等の掃除用品として利用できるものである。また粘着テープの回転を止める事により、フローリング・シート・デスク等繊維製品以外の掃除用品としても使用できる。
【図面の簡単な説明】
【図１】本発明の斜視図
【図２】本発明の立体分解図
【図３】本発明の実施例を示す斜視図
【図４】本発明の実施例を示す断面図
【図５】本発明の実施例を示す斜視図
【符号の説明】
１  本体部材
２  回転筒支持筒
３  回転筒取り付けフック
４  ２本の切り込み
５  ピン
６  回転筒止め穴
７  テープ接着面
８  テープ外し窪み
９  アーム
１０  グリップ
１１  粘着テープ
１２  回転筒
１３  回転筒支持棒
１４  テープ固定爪
【図１】
2004243000.tif 000003
【図２】
2004243000.tif 000004
【図３】
2004243000.tif 000005
【図４】
2004243000.tif 000006
【図５】
2004243000.tif 000007